(57)【特許請求の範囲】
【請求項１】
床面に設置された展示台を有し、該展示台の上方に形成された展示空間の周囲が透明な側面パネルにより囲まれ、かつ該側面パネルで囲まれた展示空間の上方が天井パネルにより覆われる展示ケースにおいて、
前記天井パネルは、透光性パネル部材を有し、該透光性パネル部材の上面には、前記展示空間に向かって光を照射するための略パネル形状をなす発光パネルユニットが配置され、前記発光パネルユニットの周辺には略枠状をなす枠部が設けられることを特徴とする展示ケース。
【請求項２】
前記発光パネルユニットは、複数のＬＥＤと前記複数のＬＥＤが端面側にのみ配置された導光板を備えて上下幅の小さい薄型に形成されていることを特徴とする請求項１に記載の展示ケース。
【請求項３】
前記天井パネルは、少なくとも１枚の透光性パネル部材を有し、前記枠部は、前記透光性パネル部材の上面周縁部に、該透光性パネル部材と同材質の板状部材を取り付けて形成されることを特徴とする請求項１または２に記載の展示ケース。
【請求項４】
前記天井パネルは、少なくとも１枚の透光性パネル部材を有し、該パネル部材の少なくとも略中央部が凹状にされることで前記配置部が形成され、該配置部の周囲が前記枠部となることを特徴とする請求項１または２に記載の展示ケース。
【請求項５】
前記天井パネルは、少なくとも１枚の透光性パネル部材を有し、該パネル部材は、前記側面パネル内に落とし込んで取り付けられ、該側面パネルの上端縁により前記枠部が形成されることを特徴とする請求項１または２に記載の展示ケース。
【請求項６】
前記天井パネルは、前記配置部以外の部位が非透光性を有することを特徴とする請求項１ないし５のいずれかに記載の展示ケース。
【発明の詳細な説明】
【技術分野】
【０００１】
本発明は、博物館や美術館等に設置される展示ケースに関する。
【背景技術】
【０００２】
従来の展示ケースは、展示台の上方に形成した展示空間の周囲が透光性パネルにより囲まれ、この透光性パネルの上面開口部を、照明器具を有する上蓋によって覆っている。このような展示ケースは一般的に行灯型四面展示ケースと称されている（例えば、特許文献１参照）。また、照明器具を備えておらず上面側も透明材料で構成した行灯型五面展示ケースと称されるものもある。
【先行技術文献】
【特許文献】
【０００３】
【特許文献１】特開２０１０−１０４６１３号公報
【発明の概要】
【発明が解決しようとする課題】
【０００４】
しかしながら、特許文献１に記載の展示ケースにあっては、照明装置（発光パネルユニット）から発せられる熱によって暖められた空気が展示空間内に入り込み易くなり、展示空間内の温度が上昇されてしまうという問題があるばかりか、照明装置の放熱効率が低下してしまうという問題がある。また、上蓋の中央部の照明装置が配置される部位が上方に突出されて展示ケースの移動中に、天井に設置される部材等が上蓋の突出される部位に接触して照明装置を傷める虞がある。
【０００５】
本発明は、このような問題点に着目してなされたもので、展示空間内の温度上昇を防止することができるとともに、発光パネルユニットの放熱性を向上させることができ、かつ発光パネルユニットを保護することができる展示ケースを提供することを目的とする。
【課題を解決するための手段】
【０００６】
前記課題を解決するために、本発明の展示ケースは、
床面に設置された展示台を有し、該展示台の上方に形成された展示空間の周囲が透明な側面パネルにより囲まれ、かつ該側面パネルで囲まれた展示空間の上方が天井パネルにより覆われる展示ケースにおいて、
前記天井パネルは、透光性パネル部材を有し、該透光性パネル部材の上面には、前記展示空間に向かって光を照射するための略パネル形状をなす発光パネルユニットが配置され、前記発光パネルユニットの周辺には略枠状をなす枠部が設けられることを特徴としている。
この特徴によれば、発光パネルユニットから発生する熱によって暖められた空気が展示空間内に入り込まないようになり、展示空間内の温度上昇を防止することができるばかりか、発光パネルユニットの放熱性を向上させることができ、かつ配置部に配置された発光パネルユニットが枠部によって囲まれて保護されるようになる。また、発光パネルユニットが枠部によって隠蔽されて、体裁のよい展示ケースを提供することができる。
また、前記発光パネルユニットは、複数のＬＥＤと前記複数のＬＥＤが端面側にのみ配置された導光板を備えて上下幅の小さい薄型に形成されていることを特徴としている。
この特徴によれば、その側部に取付けられたＬＥＤの光を導光板によって拡散させる構造であることから、下方側から見上げた際にＬＥＤが直接見えづらい構造とすることができるとともに、上下幅の小さい薄型に形成できる。
【０００７】
本発明の展示ケースは、
前記天井パネルは、少なくとも１枚の透光性パネル部材を有し、前記枠部は、前記透光性パネル部材の上面周縁部に、該透光性パネル部材と同材質の板状部材を取り付けて形成されることを特徴としている。
この特徴によれば、発光パネルユニットを備えておらず上面側も全体が透光性を有する天井パネルで構成される行灯型五面展示ケースの製造工程を利用して、その行灯型五面展示ケースの天井パネルに発光ユニットと枠部を配置して行灯型四面展示ケースを製造することができるようになり、行灯型五面展示ケースと行灯型四面展示ケースとを同じ製造工程で製造することができ、展示ケースの生産効率を向上させることができる。また、枠部が透光性パネル部材と同材質の板状部材であるため、透光性パネル部材と枠部との熱膨張率を同一にすることができ、発光パネルユニットの放熱や気温変化による天井パネルの歪みを防止できる。
【０００８】
本発明の展示ケースは、
前記天井パネルは、少なくとも１枚の透光性パネル部材を有し、該パネル部材の少なくとも略中央部が凹状にされることで前記配置部が形成され、該配置部の周囲が前記枠部となることを特徴としている。
この特徴によれば、配置部と枠部とが一体的に形成され、天井パネルを構成するパネル部材等の部品点数を低減できる。また、枠部が透光性パネル部材と一体的な部位となるため、枠部と他の部位との熱膨張率を同一にすることができ、発光パネルユニットの放熱や気温変化による天井パネルの歪みを防止できる。
【０００９】
本発明の展示ケースは、
前記天井パネルは、少なくとも１枚の透光性パネル部材を有し、該パネル部材は、前記側面パネル内に落とし込んで取り付けられ、該側面パネルの上端縁により前記枠部が形成されることを特徴としている。
この特徴によれば、枠部を形成するために、天井パネルとなる透光性パネル部材を加工したり別部材を設けたりしなくても済むようになり、展示ケースの生産効率を向上させることができる。
【００１０】
本発明の展示ケースは、
前記天井パネルは、前記配置部以外の部位が非透光性を有することを特徴としている。
この特徴によれば、特別な目隠し部材を別途設けることなく、発光パネルユニットが配置される配置部以外を非透光性とし、発光パネルユニットから延びる配線等を目隠しすることができる。
【図面の簡単な説明】
【００１１】
【図１】実施例１における展示ケースを示す斜視図である。
【図２】扉パネルを開放した状態の展示ケースを示す斜視図である。
【図３】展示ケースを示す平面図である。
【図４】展示ケースの上部を示す縦断側面図である。
【図５】発光パネルユニットを示す縦断側面図である。
【図６】展示ケースの下部を示す縦断側面図である。
【図７】実施例２における展示ケースの上部を示す縦断側面図である。
【図８】実施例３における展示ケースの上部を示す縦断側面図である。
【図９】実施例４における展示ケースの上部を示す縦断側面図である。
【図１０】実施例５における展示ケースの上部を示す縦断側面図である。
【発明を実施するための形態】
【００１２】
本発明に係る展示ケースを実施するための形態を実施例に基づいて以下に説明する。
【実施例１】
【００１３】
実施例１に係る展示ケースにつき、図１から図６を参照して説明する。以下、図３から図６の紙面左側を展示ケースの背面側（後方側）として説明する。図１の符号１は、本発明の適用された展示ケースである。この展示ケース１は、主に美術館や博物館等に設置され、展示ケース１内に配置された展示品（図示略）を、鑑賞者が展示ケース１の周囲から鑑賞できるようになっている。
【００１４】
図１に示すように、展示ケース１は、床面に設置されて平面視で略四角形状をなす展示台２を有し、展示台２の四方の各側面の外周を取り囲むように、床面から立設されたガラス等の材質で形成された透明なガラスパネル（透光性パネル部材）で構成される側面パネル３が配置されている。この側面パネル３によって展示台２の上方に展示空間４が形成されている。そして、展示品（図示略）を展示台２の上面に配置して収容するようになっている。なお、これら複数枚の側面パネル３のうち背面側に配置されるパネルは、開閉可能な扉パネル５となっている（図２参照）。
【００１５】
側面パネル３で囲まれた展示空間４の上方は、ガラスパネル（透光性パネル部材）で構成された透明な天井パネル６により覆われている。なお、本実施例では、展示台２と側面パネル３と天井パネル６とによりケース本体が構成されている。そして、ケース本体の背面側の開口が扉パネル５により開閉されるようになっている。
【００１６】
図３に示すように、天井パネル６の上面側の中央部には、略パネル状をなす照明手段としての発光パネルユニット７が配置されている。なお、天井パネル６は、平面視で略四角形状をなすとともに、発光パネルユニット７も平面視で略四角形状をなしている。
【００１７】
天井パネル６の上面における発光パネルユニット７の周辺部には、複数の板状の枠部材８が略枠状に配置された枠部が構成されている。この枠部材８は、天井パネル６の四辺における正面側及び左右側の縁部に設けられている。天井パネル６の背面側の縁部には、後述するように、扉パネル５の上端縁に取り付けられたカバー部材９が配置される。カバー部材９及び枠部材８で囲まれた部位は、展示空間４に向かって光を照射するための略パネル形状をなす発光パネルユニット７が配置される配置部１０となっている。
【００１８】
更に、配置部１０に配置された発光パネルユニット７が枠部材８によって囲まれて保護されるようになり、室内の天井に設置される部材等が展示ケース１の上部に接触しても、枠部材８に接触させることで、発光パネルユニット７に対する接触が防止される。また、発光パネルユニット７が枠部材８によって隠蔽されて、体裁のよい展示ケース１を提供することができる。
【００１９】
図４に示すように、天井パネル６は、側面パネル３で囲まれた展示空間４の上方を覆う透明なガラスパネル１１（透光性パネル部材）を有している。なお、前述した枠部材８もガラス製（同材質）の板状部材となっている。また、枠部材８が展示空間４の上方を覆うガラスパネル１１と同じガラス製であるため、展示空間４の上方を覆うガラスパネル１１と枠部材との熱膨張率を同一にすることができ、発光パネルユニット７の放熱や気温変化による天井パネル６の歪みを防止できる。
【００２０】
また、発光パネルユニット７は、その下面側がガラスパネル１１の上面に接着されている。ガラスパネル１１の背面側には、扉パネル５を開閉させる際に用いる開閉レール１２及び案内レール１３が形成された略板状をなすレール部材１４が取り付けられている。
【００２１】
更に、このレール部材１４と前述した枠部材８とは、ガラスパネル１１の上面に中間膜１５を介して接着されている。この中間膜１５は、厚さが１ｍｍ程度のポリビニルブチラール（ＰＶＢ）よりなり、衝撃吸収機能、遮熱機能、紫外線反射機能の少なくともいずれか１つの機能を有している。なお、中間膜１５は、顔料が混入された不透明な着色中間膜となっている。
【００２２】
そして、発光パネルユニット７と枠部材８の間には、中間膜１５と同様の材質で形成された膜部材１６が取り付けられている。このように天井パネル６は、中間膜１５及び膜部材１６により発光パネルユニット７の配置部１０以外の部位が非透光性を有するようになっている。
【００２３】
なお、展示ケース１は、一般的な鑑賞者の身長よりも大きく形成されており、鑑賞者が天井パネルを下方から見上げた際に、前述したレール部材１４や配線１７等は中間膜１５及び膜部材１６により鑑賞者から見えないようになっている。このように特別な目隠し部材を別途設けることなく、発光パネルユニット７が配置される配置部１０以外を非透光性として遮蔽することができ、発光パネルユニット７から延びる電力線や制御線を含む配線１７等やレール部材等を目隠しすることができる。
【００２４】
また、中間膜１５及び膜部材１６を天井パネル６が有していることで、展示ケース１の上方にある室内の天井の照明装置等から光が照射された際に、展示ケース１の上方から展示ケース１内に入り込む光が遮られることとなる。そのため、発光パネルユニット７から発せられる光のみで展示品（図示略）を照らすことができ、展示ケース１による照明効果を高められる。
【００２５】
図５に示すように、発光パネルユニット７は、アクリル樹脂等の材質で形成された導光板１８を有している。この導光板１８は、その上面の全面に渡って微細な凹凸が形成されている。この微細な凹凸は、シルク印刷加工やＶ溝カット加工や成形加工やレーザー加工等の所定の加工方法により形成されている。
【００２６】
また、導光板１８の上面には、光を反射させる反射シート１９が設けられている。導光板１８の下面には、光を拡散させる拡散シート２０が設けられている。平面視で略四角形状をなす導光板１８の前後の縁辺側には、複数のＬＥＤ２１を有する照明基板２２が設けられている。この照明基板２２は、導光板１８の端面に沿って延設されており、複数のＬＥＤ２１は、照明基板２２の長手方向に沿って並設されており、このＬＥＤ２１は導光板１８の端面側に向いている。
【００２７】
図３及び図５に示すように、導光板１８の四辺には、断面視で略コ字形状をなすフレーム部材２３に装着されている。前述した照明基板２２はフレーム部材２３に装着されている。発光パネルユニット７において、フレーム部材２３で囲まれた上面側は、矩形板材２４により閉塞されている。
【００２８】
図５に示すように、発光パネルユニット７は、複数のＬＥＤ２１が導光板１８の端面側にのみ配置されており、従来の一般的な照明装置のように、照射面全体にＬＥＤを設けずに済む。また、この発光パネルユニット７の上下幅を小さくして薄型に形成し、かつ軽量化することができるとともに、ＬＥＤ２１の使用個数を減らして製造コストを低減させることができる。また、薄型の発光パネルユニット７を用いることにより、圧迫感が少ない展示ケース１とすることができる。
【００２９】
照明基板２２のＬＥＤ２１を点灯させると、ＬＥＤ２１より発せられた光は、導光板１８の端面に向かって入射される。この入射された光は、導光板１８内部で広がり、導光板１８の上面に達した光は、導光板１８の上面に形成された微細な凹凸で拡散されつつ、反射シート１９により反射され、導光板１８の下面側に向かうようになっている。
【００３０】
導光板１８の下面に達した光は、拡散シート２０により拡散され、導光板１８の下面側全体から均一に照射されるようになっている。そして、ＬＥＤ２１から発せられる光は直接展示品（図示略）に照射されるのではなく導光板１８を介して照射されるため、紫外線や赤外線を低減させた光を展示品に照射させることができ、長時間照射しても、紫外線によって展示品が色褪せたり、赤外線による熱で展示品を傷めたりせずに済むようになる。
【００３１】
発光パネルユニット７は、天井パネル６よりも小さく形成されており、発光パネルユニット７から照射される光は、発光パネルユニット７から外側斜め下方向に向かって広がるようになっており、この発光パネルユニット７の大きさは、照射される光が展示台２の上面にまんべんなく照射される程度の大きさに形成されている。
【００３２】
そのため、展示台２よりも外方側に光が照射されないように、発光パネルユニット７による照射領域を展示台２の上面に限定することにより発光パネルユニット７の消費電力を低減できる。また、展示ケース１の外周に居る鑑賞者の目に光が直接入り込まないようにすることができる。
【００３３】
また、発光パネルユニット７は、天井パネル６の上方に配置されているため、別途、発光パネルユニット７を支持するための部材を用いることなく、天井パネル６を利用して導光板ユニットを支持することができる。また、ＬＥＤ２１から発生する熱によって暖められた空気が展示空間４内に入り込まないようになり、展示空間４内の温度上昇を防止することができる。そして、発光パネルユニット７が上方に露呈されているため、発光パネルユニット７の放熱性を向上させることができる。
【００３４】
なお、従来の一般的な照明装置のように、照射面全体にＬＥＤを配置して照射されるようにすると、ＬＥＤは点発光するようになっているため、その点発光が目立ってしまい、照射面全体にＬＥＤの光のムラができてしまうようになっている。しかしながら本実施例の発光パネルユニット７では、ＬＥＤ２１から照射された光が、一旦、導光板１８に入射した後、拡散シート２０を介して発光パネルユニット７の下面側から照射されるようになっており、その照射面全体がムラなく一様に発光するようになっている。
【００３５】
図３に示すように、ＬＥＤ２１が配置される照明基板２２から配線１７が発光パネルユニット７の外部に延び、この配線１７は、発光パネルユニット７の角部から天井パネル６の角部に向かって延びている。そして、この配線１７は、側面パネル３同士の間の角部に沿って下方側に延設されており（図３の部分拡大図参照）、展示台２内部に配置されたＡＣアダプタ（図示略）や制御回路（図示略）などに接続されている。なお、この制御回路は、室内に設けられたコンセント等から電力を供給されるようになっている。
【００３６】
なお、本実施例のような発光パネルユニット７が天井パネル６に設置されている展示ケース１は、行灯型四面展示ケース１と称されている。また、本実施例の展示ケース１の天井パネル６をガラスパネル１１のみで構成すると、行灯型五面展示ケースとすることができる。即ち本実施例の行灯型四面展示ケース１は、その製造工程の途中の段階まで行灯型五面展示ケースの製造工程と同一になっている。
【００３７】
このように本実施例の行灯型四面展示ケース１は、行灯型五面展示ケースの製造工程を利用して、その行灯型五面展示ケースの天井パネル６に発光パネルユニット７を配置して行灯型四面展示ケース１を製造することができるようになり、行灯型五面展示ケースと行灯型四面展示ケース１とを同じ製造工程で製造することができ、展示ケース１の生産効率を向上させることができる。更に、発光パネルユニット７は、薄型に形成できるため、行灯型四面展示ケース１では、その天井パネル６の圧迫感がなくなり、行灯型五面展示ケースと行灯型四面展示ケース１との外観をほぼ同じように形成することができる。
【００３８】
図６に示すように、展示台２には、アジャスター２５やキャスター（図示略）が取り付けられて床面に設置される鉄骨フレーム部材２３を有している。展示ケース１は、アジャスター２５やキャスター（図示略）によって室内の任意の場所に移動して設置することができる。鉄骨フレーム部材２３の上方には、展示品（図示略）を載置するための載置板２６が設けられる。そして、鉄骨フレーム部材２３の正面及び左右側面には、固定板２７が設けられ、この固定板２７に側面パネル３の下部が接着剤等により取り付けられる。また、鉄骨フレーム部材２３の背面には、扉パネル５を開閉移動可能に支持する扉開閉装置２８（移動支持手段）が設けられている。
【００３９】
この扉開閉装置２８は、鉄骨フレーム部材２３に取り付けられたブッシュ部材２９と、このブッシュ部材２９により前後方向にスライド移動されるシャフト部材３０と、を有している。そして、シャフト部材３０の端部に取り付けられたレール基部３１には、左右方向にスライド移動されるスライドレール装置３２が設けられている。更に、スライドレール装置３２には、左右方向にスライド移動される移動板３３が設けられ、この移動板３３に扉パネル５の下部が接着剤等により取り付けられる。
【００４０】
図２に示すように、扉パネル５を開放する際には、作業者が扉パネル５の上端縁のカバー部材９を掴んで、扉パネル５を数センチほど背面側に引き出す。そして、扉パネル５を側方にスライド移動させて開放するようになっている。また、図１に示すように、扉パネル５を閉鎖する際には、開放された扉パネル５をケース本体の背面までスライド移動させ、扉パネル５を正面側に押し込むことで閉鎖されるようになっている。
【００４１】
図４に示すように、天井パネル６の上面のレール部材１４には、扉パネル５の閉鎖状態を維持するためのボールキャッチ３４（係合手段）が設けられている。そして、扉パネル５のカバー部材９の下面には、ボールキャッチ３４に係合する被係合部３５が設けられている。なお、天井パネル６の背面側の縁部には、展示空間４の密閉性を高めるためのパッキン部材３６が設けられているとともに、側面パネル３の背面側の縁部にも、同様のパッキン部材３７が設けられている。
【００４２】
また、天井パネル６の上面におけるカバー部材９の配置位置に対応する部位には、前述した開閉レール１２及び案内レール１３が形成されたレール部材１４が取り付けられている。そして、カバー部材９の下面には、レール部材１４の開閉レール１２及び案内レール１３に案内される被案内部３８が設けられている。この被案内部３８が開閉レール１２に案内されることで、扉パネル５の左右方向の移動が案内される。そして、被案内部３８が案内レール１３に案内されることで、扉パネル５の前後方向の移動が案内される。
【００４３】
更に、図６に示すように、鉄骨フレーム部材２３の背面側にも、扉パネル５の閉鎖状態を維持するためのボールキャッチ３９（係合手段）が設けられている。そして、扉パネル５を支持するレール基部３１には、ボールキャッチ３９に係合する被係合部４０が設けられている。扉パネル５を閉鎖した際には、扉パネル５側に設けられた被係合部３５，４０が、天井パネル６及び展示台２に設けられたボールキャッチ３４，３９に係合されることで、扉パネル５の閉鎖状態を維持するようになっている。
【００４４】
図４及び図６に示すように、側面パネル３及び扉パネル５は、中間膜４１ａ，４１ｂを挟み込んだ２枚の透明なガラスパネル４２ａ，４２ｂ（透光性パネル部材）の合わせ板材より構成される。この中間膜４１ａ，４１ｂは、前述の天井パネル６の中間膜１５と同様に、厚さが１ｍｍ程度のポリビニルブチラール（ＰＶＢ）よりなり、衝撃吸収機能、遮熱機能、紫外線反射機能の少なくともいずれか１つの機能を有している。なお、側面パネル３及び扉パネル５における展示台２を囲む部位の中間膜４１ｂは、顔料が混入された不透明な着色中間膜となっており、それ以外の部位の中間膜４１ａは、透明な透明中間膜となっている。
【００４５】
このように、特別な目隠し部材を別途設けることなく、展示台２を側面パネル３の外方から目隠しすることができるで、展示ケース１の体裁がよくなるばかりか、展示台２の目隠し用の塗装膜等を設ける必要がなく、展示台２にガラスパネル４２ｂ等を接着剤により直接接着しうるので、側面パネル３を展示台２に強固に固着することができ、展示ケース１の耐久性及び信頼性が向上する。
【００４６】
また、側面パネル３を、複数のガラスパネル４２ａ，４２ｂの間に中間膜４１ａ，４１ｂを挟み込んだ合わせ板材としているので、万一地震等によりガラスパネル４２ａ，４２ｂが破損しても、ガラスの破片が周囲や展示空間４に向かって飛散されることを中間膜４１ａ，４１ｂによって防止できる。また、２枚のガラスパネル４２ａ，４２ｂの間に、予め製作した既製の着色中間膜４１ｂと透明中間膜４１ａとを挟んで一体化することにより、展示台２を目隠ししうる側面パネル３及び扉パネル５を容易に形成することができる。
【００４７】
図６に示すように、側面パネル３及び扉パネル５において、上方の透明中間膜４１ａと下方着色中間膜４１ｂの間には、中間膜４１ａ，４１ｂ同士の境界部Ｋが形成される。この境界部Ｋにて中間膜４１ａ，４１ｂ同士が接触しており、上下の中間膜４１ａ，４１ｂが一体的となった見栄えとなっている。
【００４８】
また、中間膜４１ａ，４１ｂが、衝撃吸収機能、遮熱機能、紫外線反射機能の少なくともいずれかの機能を有することで、中間膜４１ａ，４１ｂを、衝撃吸収機能を有するものとすると、ガラスパネル４２ａ，４２ｂが破損しにくくなり、また遮熱機能や紫外線反射機能を有するものとすると、展示ケース１内の展示品が外気温度や照明の影響を受けにくくなるので、展示品の経時変化を少なくすることができる。
【実施例２】
【００４９】
次に、実施例２に係る展示ケース１につき、図７を参照して説明する。なお、前記実施例に示される構成部分と同一構成部分に付いては同一符号を付して重複する説明を省略する。
【００５０】
図７に示すように、天井パネル６は、側面パネル３で囲まれた展示空間４の上方を覆う透明な１枚のガラスパネル１１ａ（透光性パネル部材）を有している。そして、このガラスパネル１１ａの略中央部が凹状に切削されて凹部４３（配置部）が形成され、更に、凹部４３が形成されることで、天井パネル６の周縁部に枠部４４が形成されている。なお、天井パネル６の下面における発光パネルユニット７の凹部４３以外の部位に塗装膜４５が形成されており、発光パネルユニット７から発せられる光のみで展示品（図示略）を照らすことができる。
【００５１】
このように実施例２では、天井パネル６は、少なくとも１枚のガラスパネル１１ａ（透光性パネル部材）を有し、ガラスパネル１１ａの少なくとも略中央部が凹状にされることで凹部４３が形成され、凹部４３の周囲が枠部４４となることで、凹部４３と枠部４４とが一体的に形成され、天井パネル６を構成するガラスパネル等の部品点数を低減できる。また、枠部４４がガラスパネルと一体的な部位となるため、枠部４４と他の部位の熱膨張率を同一にすることができ、発光パネルユニット７の放熱や気温変化による天井パネル６の歪みを防止できる。
【実施例３】
【００５２】
次に、実施例３に係る展示ケース１につき、図８を参照して説明する。なお、前記実施例に示される構成部分と同一構成部分に付いては同一符号を付して重複する説明を省略する。
【００５３】
図８に示すように、天井パネル６は、側面パネル３で囲まれた展示空間４の上方を覆う透明なガラスパネル１１ｂ（透光性パネル部材）を有している。なお、枠部材８ａは着色されて非透光性を有する色ガラス（同材質）となっており、発光パネルユニット７から発せられる光のみで展示品（図示略）を照らすことができる。
【００５４】
また、天井パネル６を構成するガラスパネル１１ｂの端縁は４５度の傾斜で切り欠かれているとともに、側面パネル３の端縁も同様の角度で切り欠かれている。そして、互いの端縁同士が付け合わされて接着されている。このよにすることで、天井パネル６の外観を薄く見せることができ、展示ケース１の見栄えが向上される。
【実施例４】
【００５５】
次に、実施例４に係る展示ケース１につき、図９を参照して説明する。なお、前記実施例に示される構成部分と同一構成部分に付いては同一符号を付して重複する説明を省略する。
【００５６】
図９に示すように、天井パネル６は、側面パネル３で囲まれた展示空間４の上方を覆う透明なガラスパネル１１（透光性パネル部材）を有している。そして、ガラスパネル１１の上面における発光パネルユニット７の配置部１０以外の部位が膜部材１６’により覆われており、発光パネルユニット７から発せられる光のみで展示品（図示略）を照らすことができる。
【００５７】
また、天井パネル６を構成するガラスパネル１１は、側面パネル３の上端よりも下方側に落とし込んで取り付けられている。そして、側面パネル３の上端縁により枠部４６が形成される。このようにすることで、枠部４６を形成するために、天井パネル６となるガラスパネル１１（透光性パネル部材）を加工したり別部材を設けたりしなくても済むようになり、展示ケース１の生産効率を向上させることができる。
【実施例５】
【００５８】
次に、実施例５に係る展示ケース１につき、図１０を参照して説明する。なお、前記実施例に示される構成部分と同一構成部分に付いては同一符号を付して重複する説明を省略する。
【００５９】
図１０に示すように、天井パネル６は、側面パネル３で囲まれた展示空間４の上方を覆う透明なガラスパネル１１（透光性パネル部材）を有している。そして、実施例４と同様に、天井パネル６を構成するガラスパネル１１は、側面パネル３の上端よりも下方側に落とし込んで取り付けられている。そして、側面パネル３の上端縁により枠部４６が形成される。
【００６０】
更に、発光パネルユニット７の筐体４７の大きさが天井パネル６とほぼ同じ大きさとなっており、発光パネルユニット７の筐体４７により天井パネル６のほぼ全面が覆われており、発光パネルユニット７から発せられる光のみで展示品（図示略）を照らすことができる。なお、実施例５における配置部４８は、発光パネルユニット７における導光板１８が配置されて光を照射する部位に対応している。
【００６１】
以上、本発明の実施例を図面により説明してきたが、具体的な構成はこれら実施例に限られるものではなく、本発明の要旨を逸脱しない範囲における変更や追加があっても本発明に含まれる。
【００６２】
例えば、前記実施例では、発光パネルユニット７の照明手段としてＬＥＤ２１が用いられているが、本発明はこれに限ることなく、照明手段として冷陰極発光体（Cold Cathode Fluorescent Lamp：略称ＣＣＦＬ）を用いるようにしてもよい。
【００６３】
また、前記実施例では、導光板１８の前後の二辺側にＬＥＤ２１を有する２つの照明基板２２が設けられていたが、１つの照明基板２２を設けるようにして導光板１８の内部に向かってＬＥＤ２１の光を照射させるようにしてもよいし、導光板１８の四辺全てに照明基板２２を設けるようにして、導光板１８の内部に向かってＬＥＤ２１の光を照射させるようにしてもよい。
【００６４】
また、前記実施例では、ガラス等の材質で形成された透明な天井パネル６を使用したが、天井パネル６は必ずしも透明である必要はなく、くもりガラスのような材質を用いても、透光性を有するものであればよい。
【００６５】
また、前記実施例では、側面パネルや天井パネル６に用いる透光性パネル部材としてガラスパネルを例示したが、透光性パネル部材はアクリル樹脂で形成されたパネル部材などであってもよい。
【００６６】
また、前記実施例では、天井パネル６を構成するガラスパネル１１が側面パネル３の上端に取り付けられて支持されているが、天井パネル６を若干小さく形成し、かつ枠部材８を、天井パネル６を構成するガラスパネル１１よりも若干外方に突出させて配置することで、枠部材８を上端に取り付けて、この枠部材８を介してガラスパネル１１を支持するようにしてもよい。
【００６７】
前記実施例では、枠部を形成する際に、天井パネル６を構成するガラスパネル１１を加工したり、枠部材８を用いたりしているが、天井パネル６を構成するガラスパネル１１の外周縁にガラス製の角材等を設置して枠部を形成してもよい。
【符号の説明】
【００６８】
１                展示ケース
２                展示台
３                側面パネル
４                展示空間
５                扉パネル
６                天井パネル
７                発光パネルユニット
８                枠部材
８ａ              枠部材
１０              配置部
１１              ガラスパネル（透光性パネル部材）
１１ａ，１１ｂ    ガラスパネル（透光性パネル部材）
１５              中間膜
１７              配線
４２ａ，４２ｂ    ガラスパネル（透光性パネル部材）
４３              凹部（配置部）
４４              枠部
４６              枠部
４８              配置部
【図１】
0005662172.tif 000002
【図２】
0005662172.tif 000003
【図３】
0005662172.tif 000004
【図４】
0005662172.tif 000005
【図５】
0005662172.tif 000006
【図６】
0005662172.tif 000007
【図７】
0005662172.tif 000008
【図８】
0005662172.tif 000009
【図９】
0005662172.tif 000010
【図１０】
0005662172.tif 000011